(57)【要約】【課題】  ロールペーパーが有芯か否かに関係なく簡単に収納でき、密閉性が高いのでロールペーパーが汚れたり濡れたりすることがなく、また設置場所を自由に変えることができ、更に収納されたロールペーパーを容易に取り出すことができるロールペーパーホルダーを提供する。【解決手段】  ロールペーパーホルダーを、略円筒状を成し収納されたロールペーパーを引き出すための取出口1aがその外面に一直線状に形成されている収納体１と、収納体１の外面を回動自在且つ着脱自在に支持するための支持部２と、平面上に載置可能な台座３と、台座３の両端に収納体１の長さより僅かに広い間隔で固定されており収納体１の左右開口部を覆う１組の側板４とから成り、支持部２を台座３及び／又は側板４に固定した構成にする。【選択図】        図１
2007076724.tif 000002
【特許請求の範囲】
【請求項１】
略円筒状を成し収納されたロールペーパーを引き出すための取出口(1a)がその外面に一直線状に形成されている収納体(１)と、該収納体(１)の外面を回動自在且つ着脱自在に支持するための支持部(２)と、平面上に載置可能な台座(３)と、該台座(３)の両端に該収納体(１)の長さより僅かに広い間隔で固定されており該収納体(１)の左右開口部を覆う１組の側板(４)とから成り、該支持部(２)が該台座(３)及び／又は該側板(４)に固定されていることを特徴とするロールペーパーホルダー。
【請求項２】
収納体(１)の取出口(1a)から引き出されるロールペーパーを支持するための突設片(５)が該取出口(1a)に沿った該収納体(１)の外面に更に設けられている請求項１に記載のロールペーパーホルダー。
【請求項３】
突設片(５)の少なくとも一方がロールペーパーを切断するための切り刃(６)である請求項２に記載のロールペーパーホルダー。
【請求項４】
突設片(５)の少なくとも一方にロールペーパーを切断するための切り刃(６)が更に設けられている請求項２に記載のロールペーパーホルダー。
【請求項５】
収納体(１)が横断面が略半円状を成す２つの半円筒体(1b)から形成されており、両半円筒体(1b)の一端がヒンジ(1c)によって連結されていて、一方の半円筒体(1b)に対する他方の半円筒体(1b)の閉じ角度を規制して該両半円筒体(1b)の他端に取出口(1a)を形成させるための位置規制部が該半円筒体(1b)に設けられている請求項１〜４までのいずれか１項に記載のロールペーパーホルダー。
【請求項６】
位置規制部が、両半円筒体(1b)の取出口(1a)と反対側に位置する端面同士を面接触させることにより他方の半円筒体(1b)の閉じ角度を規制する位置規制部である請求項５に記載のロールペーパーホルダー。
【請求項７】
位置規制部が、一方の半円筒体(1b)の取出口(1a)と反対側に位置する内面に装着されていて他方の半円筒体(1b)の閉じ角度を規制する位置規制体(1d)である請求項５に記載のロールペーパーホルダー。
【請求項８】
位置規制部が、両半円筒体(1b)の取出口(1a)を形成する対向する面の少なくとも一方の左右の端部に設けられているスぺーサー(1e)である請求項５に記載のロールペーパーホルダー。
【請求項９】
両半円筒体(1b)を閉じた状態に維持させるための閉じ手段(７)が更に設けられている請求項５〜８までのいずれか１項に記載のロールペーパーホルダー。
【請求項１０】
閉じ手段(７)が、ヒンジ(1c)に設けられている請求項９に記載のロールペーパーホルダー。
【請求項１１】
閉じ手段(７)が、取出口(1a)近傍に位置する両半円筒体(1b)の左右側端部に形成された凹部(7a)に装着された面ファスナー(7b)である請求項９に記載のロールペーパーホルダー。
【請求項１２】
閉じ手段(７)が、取出口(1a)近傍に位置する両半円筒体(1b)の外面上の左右の端部に装着されており該取出口(1a)を跨ぐようにして係止される面ファスナー(7b)である請求項９に記載のロールペーパーホルダー。
【請求項１３】
収納体(１)を支持部(２)から離脱不能とする係止具を更に備えている請求項１〜１２までのいずれか１項に記載のロールペーパーホルダー。
【請求項１４】
係止具が、左右の側板(４)にそれぞれ装着されており支持部(２)と反対側に位置する収納体(１)の外面に当接自在に可動できる抑え部材(８)である請求項１３に記載のロールペーパーホルダー。
【請求項１５】
係止具が、左右の側板(４)にそれぞれ穿設された差込穴から挿入され支持部(２)側に位置する収納体(１)の内面に当接する差込棒(９)である請求項１３に記載のロールペーパーホルダー。
【請求項１６】
台座(３)に吊り下げ固定用取付具(１０)が更に装着されている請求項１３〜１５までのいずれか１項に記載のロールペーパーホルダー。
【発明の詳細な説明】
【技術分野】
【０００１】
本発明は、ロールタオル，ロールティッシュ，ロール式のキッチンペーパー等（以下、総称して「ロールペーパー」と言う。）を有芯か否かに関係なく簡単に収納でき、密閉性が高いのでロールペーパーが汚れたり濡れたりすることがなく、また設置場所を自由に変えることができ、更に収納されたロールペーパーを容易に取り出すことができるロールペーパーホルダーに関するものである。
【背景技術】
【０００２】
ロールペーパーは、比較的大きく嵩張るため通常は専用のホルダー等に装着されて使用される。このような専用のホルダーとしては、単にロールペーパーの芯に軸を差し込むだけのハンガー式のものや、従来からあるトイレットペーパー用のホルダーを改良したもの等がある。これらの専用のホルダーではロールペーパーが外部に露出したままの状態で使用されるためロールペーパーが汚れたり濡れたりすることがあり、ロールペーパーはキッチンやテーブル回り等で使用されることが多いにも拘わらず衛生面に対する配慮が払われていないという問題があった。
【０００３】
これに対し、一般的なティッシュボックスは密閉性が高く、折り畳まれて収納されているティッシュペーパーが殆ど外部に露出しないため衛生的であり、ロールペーパーに対してもこのティッシュボックスのような密閉性に優れ衛生的なホルダーが求められている。更にティッシュボックスは自由に移動させて使用することができるのに対して、従来のロールペーパーホルダーの場合、キッチン等の所定場所に固定されていることが多く利便性に欠けるという問題もある。
【０００４】
これらの問題に対し、密閉性を向上させたロールペーパーホルダーとしては、ウェットタイプのロール状ペーパーを回転可能に収容する保湿性ケースで、下ケースと、その背部に設けられたヒンジを介してこの下ケースに一体に設けられ、この下ケースに対して開閉自在な上ケースと、下ケースの前部上縁の全長にわたって前方斜め下方に向かって一体に延設されたガイドと、また、上ケースの前部下縁には、その全長にわたって、下ケースのガイドとの間にロール状ペーパーを引き出すための僅かな間隔を開けて前方斜め下方に向かって延設された上ガイドと、更に少なくとも下ケースの左右の側板に側方に張出して設けられ、ホルダーの左右の側板に設けられた受け止め具に支持される掛かり止め具とからなり、上ケースで下ケースを閉塞したときは、上ケースの左右並びに背部の開口周縁下面が下ケースの左右並びに背部の開口周縁上面に密接するように構成されていることを特徴とするトイレットペーパー保湿ケースがある（例えば、特許文献１参照。）。
このトイレットペーパー保湿ケースは、ウェットタイプのロール状のトイレットペーパーを保持するためのケースであるので、ウェット状態を維持させるために密閉性に考慮が払われている。しかしながら、このトイレットペーパー保湿ケースをトイレに設置するにはトイレの壁面に固定される特殊な形状の装着具（特許文献１の図６参照。）が必要であり、そのため一般的なロールペーパーを保持させるホルダーとして使用しようとしても、ティッシュボックスのように自由に移動させて使用することができないのである。
【０００５】
また設置場所を自由に移動できる収納容器としては、筒体と該筒体の端部に着脱自在な蓋体から構成されており、前記筒体には軸方向に延びるペーパー取出口が形成され、前記蓋体及び／又は前記筒体の底面に平担部が形成されていることを特徴とするキッチンロールペーパー収納容器がある（例えば、特許文献２参照。）。この収納容器にキッチンロールペーパーを収納するためには、先ず左右の蓋体を外し、次に筒体の中にロールペーパーを入れ、更に筒体の内部に位置するロールペーパーの先端部を、筒体の外部から取出口の隙間を通して外部に引き出さなければならず、そして最後に筒体の両側部を蓋体で再度閉じる必要があり、ロールペーパーを単に筒体内に入れただけでは使用できないので、取扱いが非常に面倒なものとなっている。
【０００６】
【特許文献１】特開２００４−５７５５４号公報
【特許文献２】特開平７−９６９４５号公報
【発明の開示】
【発明が解決しようとする課題】
【０００７】
本発明は前記の問題に鑑み、ロールペーパーが有芯か否かに関係なくロールペーパーを簡単に収納でき、密閉性が高いのでロールペーパーが汚れたり濡れたりすることがなく、また設置場所を自由に変えることができ、更に収納されたロールペーパーを容易に取り出すことができるロールペーパーホルダーを提供することを課題とする。
【課題を解決するための手段】
【０００８】
本発明者は前記課題を解決すべく鋭意検討を重ねた結果、略円筒状を成す収納体と、収納体の左右開口部を覆う側板が予め固定されている台座と、台座及び／又は側板に固定されて収納体の外面を回動自在且つ着脱自在に支持する支持部とからロールペーパーホルダーを構成させれば、ロールペーパーを収納体に入れその収納体を支持部に支持させるだけで、収納体の左右開口部は台座に固定された側板によって覆われて略密閉された状態になるのでロールペーパーを衛生的に取り扱うことができ、更に収納体は設置し難い略円筒状を成しているものの台座と略一体となるので自由に移動させて設置することができ、また収納体の外面は支持部に回動自在に支持されているので、使用状況に応じて収納体の取出口の向きを簡単に変えることができることを究明して本発明を完成したのである。
【０００９】
即ち本発明は、略円筒状を成し収納されたロールペーパーを引き出すための取出口がその外面に一直線状に形成されている収納体と、収納体の外面を回動自在且つ着脱自在に支持するための支持部と、平面上に載置可能な台座と、台座の両端に収納体の長さより僅かに広い間隔で固定されており収納体の左右開口部を覆う１組の側板とから成り、支持部が台座及び／又は側板に固定されていることを特徴とするロールペーパーホルダーである。
【００１０】
このようなロールペーパーホルダーにおいて、収納体の取出口から引き出されるロールペーパーを支持するための突設片が取出口に沿った収納体の外面に更に設けられていれば、ロールペーパーを引き出し易くて好ましく、また突設片の少なくとも一方がロールペーパーを切断するための切り刃であったり、突設片の少なくとも一方にロールペーパーを切断するための切り刃が更に設けられていたりすれば、引き出したロールペーパーを確実に切断することができて好ましいことも究明したのである。。
【００１１】
更に、収納体が横断面が略半円状を成す２つの半円筒体から形成されており、両半円筒体の一端がヒンジによって連結されていて、一方の半円筒体に対する他方の半円筒体の閉じ角度を規制して両半円筒体の他端に取出口を形成させるための位置規制部が半円筒体に設けられていれば、半円筒体を開閉することによって収納体内にロールペーパーを容易に収納できると共に両半円筒体の他端に取出口を確実に形成させることができて好ましく、またこのような収納体が２つの半円筒体から形成されている場合において、位置規制部が両半円筒体の取出口と反対側に位置する端面同士を面接触させることにより他方の半円筒体の閉じ角度を規制する位置規制部であれば、特別な手段を講じることなく容易に半円筒体の閉じ角度を規制できて好ましく、また位置規制部が、一方の半円筒体の取出口と反対側に位置する内面に装着されていて他方の半円筒体の閉じ角度を規制する位置規制体であったり、両半円筒体の取出口を形成する対向する面の少なくとも一方の左右の端部に設けられているスぺーサーであったりすれば、位置規制体を装着したりスぺーサーを設けたりするだけで容易に半円筒体の閉じ角度を規制でき、取出口を確実に形成させることができるのである。
【００１２】
また収納体が２つの半円筒体から形成されている場合において、両半円筒体を閉じた状態に維持させるための閉じ手段が更に設けられていれば、ロールペーパーを取り出す際などに半円筒体が開くことがなく容易に取り扱うことができて好ましく、更にこの閉じ手段がヒンジに設けられていれば、半円筒体を閉じるだけでだけでその状態を維持させることができるので好ましく、また閉じ手段が取出口近傍に位置する両半円筒体の左右側端部に形成された凹部に装着された面ファスナーであったり、取出口近傍に位置する両半円筒体の外面上の左右の端部に装着されており取出口を跨ぐようにして係止される面ファスナーであったりすれば、面ファスナーによって両半円筒体を確実に閉じた状態に維持させることができて好ましいのである。
【００１３】
更に、収納体を支持部から離脱不能とする係止具を更に備えていれば、ロールペーパーホルダーを傾いた状態で設置した際やロールペーパーを取り出す際などに収納体が支持部から離脱することがなく容易に取り扱うことができて好ましく、更にこの係止具が、左右の側板にそれぞれ装着されており支持部と反対側に位置する収納体の外面に当接自在に可動できる抑え部材であれば、収納体を支持部に支持させた状態で抑え部材を可動させるだけで容易に収納体を離脱不能とすることができて好ましく、またこの係止具が、左右の側板にそれぞれ穿設された差込穴から挿入され支持部側に位置する収納体の内面に当接する差込棒であれば、差込棒を挿入するだけで確実に収納体を離脱不能とすることができて好ましく、更にこのような係止具を備えている場合において、台座に吊り下げ固定用取付具が更に装着されていれば、テーブル等に設置できるだけでなく用途に応じて壁等に掛けたり吊り下げたりして使用することができて好ましいことも究明したのである。
【発明の効果】
【００１４】
本発明に係るロールペーパーホルダーは、略円筒状を成し収納されたロールペーパーを引き出すための取出口がその外面に一直線状に形成されている収納体と、収納体の外面を回動自在且つ着脱自在に支持するための支持部と、平面上に載置可能な台座と、台座の両端に収納体の長さより僅かに広い間隔で固定されており収納体の左右開口部を覆う１組の側板とから構成されているので、収納体が略円筒状の一体的な形状を成す場合には左右に設けられた開口部からロールペーパーを挿入するだけで容易に収納でき、また収納体が２つの半円筒体から構成されていて開閉自在である場合には、収納体を開いてロールペーパーを載置するだけで容易に収納でき、また支持部は台座及び／又は側板に固定されているので、ロールペーパーを収納体に収納してその収納体を支持部に支持させるだけで、簡単にロールペーパーを使用でき、更に収納体の左右開口部は台座に固定された側板によって覆われロールペーパーは密閉された状態で収納されるので、ロールペーパーを衛生的に取り扱うことができ、また収納体は設置し難い略円筒状を成しているものの台座と一体となるので自由に移動させて設置することができ、また収納体の外面は支持部に回動自在且つ着脱自在に支持されているから収納体の取出口の向きを簡単に変えることができるのである。
【００１５】
このようなロールペーパーホルダーにおいて、収納体の取出口から引き出されるロールペーパーを支持するための突設片が取出口に沿った収納体の外面に更に設けられている場合には、ロールペーパーを容易に引き出せるだけでなく、ロールペーパーを突き出した突設片の端縁に引っ掛けることで切断し易く、また突設片の少なくとも一方がロールペーパーを切断するための切り刃である場合や、突設片の少なくとも一方にロールペーパーを切断するための切り刃が更に設けられている場合には、ミシン目の無いロールペーパーや厚手のロールペーパーであっても、確実且つ綺麗に切断できるのである。
【００１６】
更に、収納体が横断面が略半円状を成す２つの半円筒体から形成されており、両半円筒体の一端がヒンジによって連結されていて、一方の半円筒体に対する他方の半円筒体の閉じ角度を規制して両半円筒体の他端に取出口を形成させるための位置規制部が半円筒体に設けられている場合には、半円筒体を開閉することによって収納体内にロールペーパーを容易に収納できると共に両半円筒体の他端に取出口を確実に形成させることができ、またこのような収納体が２つの半円筒体から形成されている場合において、位置規制部が、両半円筒体の取出口と反対側に位置する端面同士を面接触させることにより他方の半円筒体の閉じ角度を規制する位置規制部である態様では、特別な手段を講じることなく容易に半円筒体の閉じ角度を規制でき、また位置規制部が、一方の半円筒体の取出口と反対側に位置する内面に装着されていて他方の半円筒体の閉じ角度を規制する位置規制体である態様や、両半円筒体の取出口を形成する対向する面の少なくとも一方の左右の端部に設けられているスぺーサーである態様では、位置規制体を装着したりスぺーサーを設けたりするだけで容易に半円筒体の閉じ角度を規制でき、取出口を確実に形成させることができる。
【００１７】
更に、収納体が２つの半円筒体から形成されている場合において、両半円筒体を閉じた状態に維持させるための閉じ手段が更に設けられている態様では、ロールペーパーを取り出す際などに半円筒体が開くことがなく容易に取り扱うことができ、更にこの閉じ手段が、ヒンジに設けられている態様では、単に半円筒体を閉じるだけでだけでその状態を維持させることができ、また閉じ手段が、取出口近傍に位置する両半円筒体の左右側端部に形成された凹部とその凹部に装着された面ファスナーとから成る閉じ手段である態様や、取出口近傍に位置する両半円筒体の外面上の左右の端部に装着されており取出口を跨ぐようにして係止される面ファスナーである態様では、面ファスナーによって両半円筒体を確実に閉じた状態に維持させることができる。
【００１８】
更に、収納体を支持部から離脱不能とする係止具を更に備えている場合には、ロールペーパーホルダーを傾いた状態で設置した際やロールペーパーを取り出す際などに収納体が支持部から離脱することがなく取扱いが容易にでき、更にこの係止具が、左右の側板にそれぞれ装着されており支持部と反対側に位置する収納体の外面に当接自在に可動できる抑え部材である態様では、収納体を支持部に支持させた状態で抑え部材を可動させるだけで容易に収納体を離脱不能とすることができ、またこの係止具が、左右の側板にそれぞれ穿設された差込穴から挿入され支持部側に位置する収納体の内面に当接する差込棒である態様では、差込棒を挿入するだけで確実に収納体を離脱不能とすることができ、更にこのような係止具を備えている態様において、台座に吊り下げ固定用取付具が更に装着されている場合には、テーブル等に設置できるだけでなく用途に応じて壁等に掛けたり吊り下げたりして使用することができのである。
【発明を実施するための最良の形態】
【００１９】
以下、図面を用いて本発明に係るロールペーパーホルダーについて詳細に説明する。
図１は本発明に係るロールペーパーホルダーの１実施例を示す斜視説明図、図２は図１のロールペーパーホルダーにおいて収納体を取り外した状態を示す斜視説明図、図３は図１の収納体の斜視説明図、図４は本発明に係るロールペーパーホルダーの他の実施例を示す斜視説明図、図５は図４の背面説明図、図６は本発明に係るロールペーパーホルダーの更に他の実施例を示す斜視説明図、図７は図６の収納体の斜視説明図、図８は図６の収納体の側面説明図、図９は図６の背面説明図、図１０は本発明に係る収納体の他の実施例を示す斜視説明図、図１１は図１０の側面説明図、図１２は本発明に係る収納体の更に他の実施例を示す斜視説明図、図１３は図１２の側面説明図、図１４は本発明に係る収納体の更に他の実施例を示す斜視説明図、図１５は図１４の側面説明図である。
【００２０】
図面中、１は略円筒状を成し収納されたロールペーパーを引き出すための取出口1aがその外面に一直線状に形成されている収納体である。ロールペーパーは略円筒状を成すこの収納体１内に収納されるので、ロールペーパーを引き出す際にロールペーパーは収納体１内で容易に回転でき、ロールペーパーを芯部分で支える必要はない。そのため本発明に係るロールペーパーホルダーは有芯か否かに関係なく様々なロールペーパーに対して使用できる。
【００２１】
この収納体１としては、図３の如く１つの略円筒状のものも好ましく使用できるが、図６〜図１５に示されている態様の如く、収納体１が横断面が略半円状を成す２つの半円筒体1bから形成されており、両半円筒体1bの一端がヒンジ1cによって連結されていて、一方の半円筒体1bに対する他方の半円筒体1bの閉じ角度を規制して両半円筒体1bの他端に取出口1aを形成させるための位置規制部が半円筒体1bに設けられていれば、半円筒体1bを開閉することによって収納体１内にロールペーパーを載置するだけで容易に収納できると共に両半円筒体の他端に取出口を確実に形成させることができて好ましいのである。そして、このような収納体１が２つの半円筒体1bから形成されている場合において、位置規制部が、両半円筒体1bの取出口1aと反対側に位置する端面同士を面接触させることにより他方の半円筒体1bの閉じ角度を規制する位置規制部であれば、特別な手段を講じることなく容易に半円筒体1bの閉じ角度を規制できて好ましく、また位置規制部が、一方の半円筒体1bの取出口1aと反対側に位置する内面に装着されていて他方の半円筒体1bの閉じ角度を規制する位置規制体1dであったり、両半円筒体1bの取出口1aを形成する対向する面の少なくとも一方の左右の端部に設けられているスぺーサー1eであったりすれば、位置規制体1dを装着したりスぺーサー1eを設けたりするだけで容易に半円筒体1bの閉じ角度を規制でき、取出口1aを確実に形成させることができて好ましいのである。
【００２２】
２は収納体１の外面を回動自在且つ着脱自在に支持するための支持部であり、この支持部２は後述する台座３及び／又は側板４に固定されている。この支持部２としては、例えば図２の如く、収納体１の外面の形状に合わせて略１／４円を成す曲面を有する支持部２を左右に１組ずつ設ければ、収納体１をがたつかせることなく容易に支持でき、更に収納体１をぶれることなく確実に回転させることができ取扱い易いのである。
【００２３】
３は平面上に載置可能な台座であり、この台座２としては、図２の如く２枚の長方形状の板材を並べたものなどが使用できるが平面上に載置できるものであれば、図示していないが１枚の板材など様々な形状のものが使用できる。
【００２４】
４は台座３の両端に収納体１の長さより僅かに広い間隔で固定されており収納体１の左右開口部を覆う１組の側板である。この１組の側板４は収納体１の長さより僅かに広い間隔で固定されているので、収納体１を支持２に支持させた際に収納体１の左右開口部を確実に覆うことができるのである。
【００２５】
５は収納体１の取出口1aから引き出されるロールペーパーを支持するための突設片であり、この突設片５が取出口1aに沿った収納体１の外面に更に設けられていれば、ロールペーパーを引き出し易く好ましい。
【００２６】
６はロールペーパーを切断するための切り刃であり、突設片５の少なくとも一方が切り刃６である場合や、突設片５の少なくとも一方に切り刃６が設けられている場合には、引き出したロールペーパーを確実に切断することができて好ましい。この切り刃６が設けられていると、ロールペーパーにミシン目が設けられていない場合や、ミシン目が設けられていてもミシン目以外の位置でロールペーパーを確実に切断することができるのである。
【００２７】
７は取出口1aを形成させた状態の両半円筒体1bを閉じた状態に維持させるための閉じ手段であり、この閉じ手段７が設けられていれば、ロールペーパーを取り出す際などに半円筒体1bが開くことがなく容易に取り扱うことができて好ましいのである。
そして、この閉じ手段７がヒンジ1cに設けられていれば、単に半円筒体1bを閉じるだけでだけでその状態を維持させることができるのであり、また閉じ手段７が、取出口1a近傍に位置する両半円筒体1bの左右側端部に形成された凹部7aに装着された面ファスナー7bであったり、取出口1a近傍に位置する両半円筒体1bの外面上の左右の端部に装着されており取出口1aを跨ぐようにして係止される面ファスナー7bであったりすれば、面ファスナー7bによって両半円筒体1bを確実に閉じた状態に維持させることができるのである。
【００２８】
８は左右の側板４にそれぞれ装着されており支持部２と反対側に位置する収納体１の外面に当接自在に可動できる抑え部材であり、９は左右の側板４にそれぞれ穿設された差込穴から挿入され支持部２側に位置する収納体１の内面に当接する差込棒である。これらの抑え部材８及び差込棒９は、収納体１を支持部２から離脱不能とする係止具であり、このような係止具を備えていれば、ロールペーパーホルダーを傾いた状態に設置した際やロールペーパーを取り出す際などに収納体１が支持部２から離脱することがなくて好ましい。
【００２９】
１０は台座３に装着されている吊り下げ固定用取付具であり、この吊り下げ固定用取付具１０が例えば図５及び図９の如き位置に装着されていれば、テーブル等に設置できるだけでなく用途に応じて壁等に掛けたり吊り下げたりして使用することができて好ましい。
【００３０】
本発明に係るロールペーパーホルダーの構成について更に詳細に説明する。
図１〜図３に示す態様では、収納体１は図３の如く１つの略円筒状から成り、ロールペーパーはこの収納体１の右側又は左側の開口部から挿入されて収納させる。その際、取出口1aは収納体１の全長に亘って設けられているので、ロールペーパーの先端部を取出口1aの端から滑り込ませるようにしながら収納体１に収納させれば、直ちに使用できる状態になる。また図２の如く収納体１を支持する支持部２が台座３の左右両側であって側板４の内側にそれぞれ１組ずつ設けられており、この支持部２に向けて収納体１を上方から落とし込むようにして図１の如き位置に設置するだけで、収納体１の左右開口部を側板４で確実に覆うことができ、ロールペーパーを衛生的に取り扱うことができるのである。なおこの態様では、収納体１を支持部２から離脱不能とする係止具が設けられていないため、壁等に取り付けて大きく傾けると収納体１が滑り落ちてしまうので、この態様では専らテーブル等の水平な面に設置して使用される。
【００３１】
次に図４及び５に示す態様では、上記態様と同様の図３に示す１つの略円筒状から成る収納体１が使用されていて、この収納体１を支持部２から離脱不能とするための係止具として、支持部２と反対側に位置する収納体１の外面に当接自在に可動できる抑え部材８が左右の側板４にそれぞれ装着されている。この態様では、図４に示す手前側の抑え部材８の如く、左右の抑え部材８を収納体１の長手方向に対して直角となるように回転させた状態にすることで、収納体１を上方から支持部２に向けて落とし込むようにして設置する際に抑え部材８が邪魔にならないのである。更に、収納体１を支持部２から離脱不能にするには、図４に示す奥側の抑え部材８の如く、左右の抑え部材８を収納体１の長手方向と平行となるように回転させればよい。またこの態様のように収納体１が支持部２から離脱不能とすることができる場合には、図５に示すように吊り下げ固定用取付具１０を台座３に装着すれば、壁等に掛けたり吊り下げたり、用途に応じて様々場所で使用することが可能となる。
【００３２】
また図６〜図９に示す態様では、収納体１は横断面が略半円状を成す２つの半円筒体1bから形成されていて、両半円筒体1bの一端がヒンジ1cによって連結されており、半円筒体1bは開閉可能となっている。このような２つの半円筒体1bから成る収納体１を使用すれば、半円筒体1bを開いた状態にすることによってロールペーパーを容易に収納することができる。更にこの態様では収納体１を支持部２から離脱不能とするための係止具として、図９の如く左右の側板４にそれぞれ穿設された差込穴から挿入され支持部２側に位置する収納体１の内面に当接する差込棒９が設けられている。この差込棒９は、収納体１を回転させても常に収納体１の支持部２側の内面に当接しているので、収納体１が支持部２から離れることがない。
【００３３】
また図６〜図１５に示す態様のように横断面が略半円状を成す２つの半円筒体1bから収納体１が形成されている場合、半円筒体1bを閉じて取出口1aを形成させるには、両半円筒体1bの取出口1a側の端部をそれぞれ宙に浮かせたような状態にしなければならず、非常に不安定な状態になる。そのためこのような態様では、一方の半円筒体1bに対する他方の半円筒体1bの閉じ角度を規制するための位置規制部を設け、取出口1aを確実に形成させることが重要となる。図６〜図９に示す態様及び図１４〜図１５に示す態様では、この位置規制部として、両半円筒体1bの取出口1aと反対側に位置する端面同士を面接触させることにより他方の半円筒体1bの閉じ角度を規制する位置規制部が設けられている。この位置規制部は単に取出口1aと反対側に位置する両半円筒体1bの端面を平坦にして角度を合わせるだけで簡単に位置規制できて好ましい。なお、この位置規制部によって確実に位置規制するには面接触させる端面が十分な大きさを有していると好ましく、そのためには半円筒体1bが十分な板厚を有しているとよい。
【００３４】
その他の位置規制部としては、図１０及び１１の如く、一方の半円筒体1bの取出口1aと反対側に位置する内面に装着されていて他方の半円筒体1bの閉じ角度を規制する位置規制体1dがある。この位置規制体1dは図１１の如く、取出口1aと反対側に位置する半円筒体1bの内面に装着するだけであり、半円筒体1bを閉じた際に両半円筒体1bの内面に当接して半円筒体1bの閉じ過ぎを防止することができ取出口1aを確実に形成させることができる。また取出口1a側に設けられる位置規制部としては、図１２及び１３に示すような両半円筒体1bの取出口1aを形成する対向する面の少なくとも一方の左右の端部に設けられているスぺーサー1eがある。このスぺーサー1eは半円筒体1bに予め一体的に形成されていても、別体として後から半円筒体1bに取り付けてもよく、また小さな形状のもので十分に効果があるので、ロールペーパーを引き出す際にもあまり邪魔にならない。
【００３５】
また図６〜図１５に示す態様のような収納体１が２つの半円筒体1bから形成されている場合には、ロールペーパーを引き出す際や本発明に係るロールペーパーホルダーを傾けた際に半円筒体1bが開き易いなどの不具合が生じることがある。そのため、このような場合には、両半円筒体1bを閉じた状態に維持させるための閉じ手段７が更に設けられていることが好ましい。図６〜図９に示す態様ではこの閉じ手段７として、取出口1a近傍に位置する両半円筒体1bの外面上の左右の端部に装着されており取出口1aを跨ぐようにして係止される面ファスナー7bが設けられている。この面ファスナー7bは、両半円筒体1bを確実に閉じた状態に維持させることができるだけでなく、容易に係止させたり解除させたりすることができて使い勝手がよい。
【００３６】
その他の閉じ手段７としては、図１４及び１５に示すような取出口1a近傍に位置する両半円筒体1bの左右側端部に形成された凹部7aに装着された面ファスナー7bがある。この態様のように、両半円筒体1bの左右側端部に凹部7aを設け、この凹部7aに面ファスナー7bを装着すれば、ロールペーパーを引き出す際に面ファスナー7bが邪魔にならず使い勝手がよい。また更に他の態様としては、図１２及び１３の如きヒンジ1c本体に閉じ手段７が設けられている態様があり、このようなヒンジ1cとしては、開閉の直前になると力を入れなくとも確実に開閉できるようにばね力を利用したヒンジ1cが好ましく利用できる。
【００３７】
また前述した図１〜図９に示した各態様では、収納体１の取出口1aから引き出されるロールペーパーを支持するための突設片５が取出口1aに沿った収納体１の外面に更に設けられているので、ロールペーパーが引き出し易いばかりでなく、この突設片５の端縁でロールペーパーを切断することができて好ましい。なお図１０〜図１３の如く突設片５が設けられていない場合であっても、多くのロールペーパーには所定間隔毎にミシン目が設けられているので、このミシン目に沿って切断すれば容易に切断できるが、図１４及び図１５に示す態様の如く突設片５が取出口1aに沿った収納体１の外面に設けられているだけでなく、上方の突設片５にロールペーパーを切断するための切り刃６が更に設けられていれば、ミシン目の無いロールペーパーや、厚手のロールペーパーであってもロールペーパーを上方へ引き上げるようにして切断すれば、確実且つ綺麗に切断できる。
【００３８】
以上のように、本発明に係るロールペーパーホルダーは、収納体１が略円筒状を成し又態様によっては開閉自在であるのでロールペーパーを収納体１の左右開口部から挿入したり開いた状態で載置したりするだけで容易に収納することができ、また収納体１は略円筒状をなしていてロールペーパーを引き出す際にロールペーパーが収納体１内で容易に回転できるので、ロールペーパーを軸で支える必要がなく、その結果、ロールペーパーが有芯か否かに関係なく使用することができ、また収納体１には側板が無いものの、収納体１を支持部２に支持させるだけで台座３の両端に固定された１組の側板４によって収納体１の左右開口部が覆われ、ロールペーパーはティッシュボックスのように略密閉された状態となるので、ロールペーパーが汚れたり濡れたりすることがなく非常に衛生的に取り扱うことができ、更に収納体１が台座３と略一体となるので、設置場所を自由に変えることができ非常に使い勝手が良いのである。
【図面の簡単な説明】
【００３９】
【図１】本発明に係るロールペーパーホルダーの１実施例を示す斜視説明図である。
【図２】図１のロールペーパーホルダーにおいて収納体を取り外した状態を示す斜視説明図である。
【図３】図１の収納体の斜視説明図である。
【図４】本発明に係るロールペーパーホルダーの他の実施例を示す斜視説明図である。
【図５】図４の背面説明図である。
【図６】本発明に係るロールペーパーホルダーの更に他の実施例を示す斜視説明図である。
【図７】図６の収納体の斜視説明図である。
【図８】図６の収納体の側面説明図である。
【図９】図６の背面説明図である。
【図１０】本発明に係る収納体の他の実施例を示す斜視説明図である。
【図１１】図１０の側面説明図である。
【図１２】本発明に係る収納体の更に他の実施例を示す斜視説明図である。
【図１３】図１２の側面説明図である。
【図１４】本発明に係る収納体の更に他の実施例を示す斜視説明図である。
【図１５】図１４の側面説明図である。
【符号の説明】
【００４０】
１  収納体
1a  取出口
1b  半円筒体
1c  ヒンジ
1d  位置規制体
1e  スぺーサー
２  支持部
３  台座
４  側板
５  突設片
６  切り刃
７  閉じ手段
7a  凹部
7b  面ファスナー
８  抑え部材
９  差込棒
１０  吊り下げ固定用取付具
【図１】
2007076724.tif 000003
【図２】
2007076724.tif 000004
【図３】
2007076724.tif 000005
【図４】
2007076724.tif 000006
【図５】
2007076724.tif 000007
【図６】
2007076724.tif 000008
【図７】
2007076724.tif 000009
【図８】
2007076724.tif 000010
【図９】
2007076724.tif 000011
【図１０】
2007076724.tif 000012
【図１１】
2007076724.tif 000013
【図１２】
2007076724.tif 000014
【図１３】
2007076724.tif 000015
【図１４】
2007076724.tif 000016
【図１５】
2007076724.tif 000017